(57)【要約】      （修正有）【課題】財布や定期入れなどのカード入れから運転免許証カード、クレジットカード、貯金カード、身分証明書カード等の種々のカード等を必要なときにスムーズに取り出すことができるカード引出補助シートを提供する。【解決手段】シート本体１とカード引掛け材２とシート摘み部３からなるカード引出補助シート１００において、シート本体１は、略カード等と同じ大きさの矩形形状であり、カード引掛け材２は、シート本体１の片方の端辺Ａ近傍に突起物として一体接合してなり、シート摘み部３は、親指と人差し指で摘める大きさであり、かつ、シート本体１のもう片方の端辺Ｂ近傍においてシート本体１と一体接合してなることを特徴とする。【選択図】図１
0003199429.tif 000002
【実用新案登録請求の範囲】
【請求項１】
シート本体（１）とカード引掛け材（２）とシート摘み部（３）からなるカード引出補助シートにおいて、シート本体（１）は、略カード等と同じ大きさの矩形形状であり、カード引掛け材（２）は、シート本体（１）の片方の端辺Ａ近傍に突起物として一体接合してなり、シート摘み部（３）は、親指と人差し指で摘める大きさであり、かつ、シート本体（１）のもう片方の端辺Ｂ近傍においてシート本体（１）と一体接合してなることを特徴とするカード引出補助シート。
【請求項２】
カード引掛け材（２）は、断面が矩形形状シート状、又は、断面が丸形状シート状であり、かつ、シート本体（１）の片方の端辺Ａ近傍に一体接合してなることを特徴とする請求項１に記載されたカード引出補助シート。
【請求項３】
カード引掛け材（２）は、複数個がシート本体（１）の片方の端辺Ａ近傍に一体接合してなることを特徴とする請求項１〜２の何れかに記載されたカード引出補助シート。
【請求項４】
シート本体（１）とシート摘み部（３）は、一体成型により一体接合されていることを特徴とする請求項１〜３の何れかに記載されたカード引出補助シート。
【請求項５】
シート本体（１）とカード引掛け材（２）とシート摘み部（３）は、一体成型により一体接合されていることを特徴とする請求項１〜４の何れかに記載されたカード引出補助シート。
【考案の詳細な説明】
【技術分野】
【０００１】
本考案は、カード引出補助シートに関する。
【背景技術】
【０００２】
従来、財布や定期入れ等のカード入れに関しては、運転免許証カード、クレジットカード、貯金カード、身分証明書カード等の種々のカード等が、カード入れの中に詰め込まれていたが、カード等を必要なときに取り出そうとしても焦って直ぐに取り出せない事態がよく起こっていたという欠点が指摘されていた。
【考案の開示】
【０００３】
考案者は、かかる従来技術の欠点に鑑み、鋭意研究した結果、本願考案を完成させることができた。
【先行技術文献】
【特許文献】
【０００４】
本願考案に係るカード引出補助シートについて、ＦＩ、キーワード検索を行ったところ、本件考案（カード引出補助シート）に近い考案等記載文献は、発見されませんでしたので、特許文献の記載は省略する。
【考案の概要】
【考案が解決しようとする課題】
【０００５】
○本考案が解決しようとする第１課題
本考案が解決しようとする第１課題は、カード入れの中に詰め込まれた運転免許証カード、クレジットカード、貯金カード、身分証明書カード等の種々のカード等は、必要なときに取り出そうとしても焦って直ぐに取り出せない事態がよく起こっており、かかる事態を回避すべく、財布や定期入れなどのカード入れから運転免許証カード、クレジットカード、貯金カード、身分証明書カード等の種々のカード等（以下、カード等ともいう。）を必要なときにスムーズに取り出すことができるカード引出補助シートを提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○カード引出補助シート１００とは、財布や定期入れ等のカード入れに入っている、運転免許証カード、クレジットカード、貯金カード、身分証明書カード等の種々のカード等（カード等）を必要なときにスムーズに取り出すことができる補助シートであり、シート本体１とカード引掛け材２とシート摘み部３から構成される。
○シート本体１とは、カード引出補助シート１００の主たる部分であって略カード等と同じ大きさの矩形形状であり、シート本体１の片方の端辺Ａ近傍において、カード引掛け材２と一体接合してなり、シート本体１のもう片方の端辺Ｂ近傍においてシート摘み部３と一体接合してなる。
○カード引掛け材２とは、カード入れの中に納まっているカード等の端辺を引掛けてカード等をカード入れ外にスムーズに引っ張り出すための部材である。
○シート摘み部３とは、カード入れの中に納まっているカード等をスムーズに外に引っ張り出すために、カード引出補助シート１００を摘む部分をいう。
○シート本体１の片方の端辺Ａ近傍とは、シート本体１には２つの端辺Ａ，Ｂがあり、片方の端辺Ａの近傍の意味合いである。
○シート本体１のもう片方の端辺Ｂ近傍とは、シート本体１には２つの端辺Ａ，Ｂがあり、もう片方の端辺Ｂの近傍の意味合いである。
○丸形状シート状とは、カード引掛け材２の断面形状が丸形状シート状であることをいう（図４の（ａ）図）。
○矩形状シート状とは、カード引掛け材２の断面形状が矩形状シート状であることをいう（図４の（ｂ）図）。
○一体接合とは、２つの部材が接合面が分らない程一体に接合されて一体となっていることをいう。
○一体成型とは、型を用いて一定の形状に加工することをいい、一体成型により、一体接合されることになる   。
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、
シート本体１とカード引掛け材２とシート摘み部３からなるカード引出補助シート１００において、シート本体１は、略カード等と同じ大きさの矩形形状であり、カード引掛け材２は、シート本体１の片方の端辺Ａ近傍に突起物として一体接合してなり、シート摘み部３は、親指と人差し指で摘める大きさであり、かつ、シート本体１のもう片方の端辺Ｂ近傍においてシート本体１と一体接合してなることを特徴とするカード引出補助シート１００である。
○第２の考案（請求項２に記載の考案）
上記の課題を解決するための第２の考案（請求項２に記載の考案）は、
カード引掛け材２は、矩形形状シート状、又は、丸形状シート状であり、かつ、シート本体１の片方の端辺Ａ近傍に一体接合してなることを特徴とする請求項１に記載されたカード引出補助シート１００である。
○第３の考案（請求項３に記載の考案）
上記の課題を解決するための第３の考案（請求項３に記載の考案）は、
カード引掛け材２は、複数個シート本体１の片方の端辺Ａ近傍に一体接合してなることを特徴とする請求項１〜２の何れかに記載されたカード引出補助シート１００である。
○第４の考案（請求項４に記載の考案）
上記の課題を解決するための第４の考案（請求項４に記載の考案）は、
シート本体１とシート摘み部３は、一体成型により一体接合されていることを特徴とする請求項１〜３の何れかに記載されたカード引出補助シート１００である。
○第５の考案（請求項５に記載の考案）
上記の課題を解決するための第５の考案（請求項５に記載の考案）は、
シート本体１とカード引掛け材２とシート摘み部３は、一体成型により一体接合されていることを特徴とする請求項１〜４の何れかに記載されたカード引出補助シート１００である。
【考案の効果】
【０００７】
本考案に係る、カード引出補助シートは、上記のような特徴的構成要件から構成され、特徴的構成要件に応じた、以下のような本願考案特有の効果を奏する。
また、上記の各考案に応じた、上記のような特徴的構成要件から構成されたカード引出補助シートによれば、本願考案の課題を十分解消することができた。
○第１の考案の効果
第１の考案によれば、
シート本体１とカード引掛け材２とシート摘み部３からなるカード引出補助シート１００において、シート本体１は、略カード等と同じ大きさの矩形形状であり、カード引掛け材２は、シート本体１の片方の端辺Ａ近傍に突起物として一体接合してなり、シート摘み部３は、親指と人差し指で摘める大きさであり、かつ、シート本体１のもう片方の端辺Ｂ近傍においてシート本体１と一体接合してなることという特徴的な構成要件により、本考案が解決しようとする第１課題〜第５課題を達成することができ、当業者予測不可能な顕著な効果を奏することができた。
○第２の考案の効果
第２の考案によれば、
カード引掛け材２は、矩形形状シート状、又は、丸形状シート状であり、かつ、シート本体１の片方の端辺Ａ近傍に一体接合してなることという特徴的な構成要件により、本考案が解決しようとする第１課題〜第５課題を達成することができ、当業者予測不可能な顕著な効果を奏することができた。
○第３の考案の効果
第３の考案によれば、
カード引掛け材２は、複数個シート本体１の片方の端辺Ａ近傍に一体接合してなることという特徴的な構成要件により、本考案が解決しようとする第１課題〜第５課題を達成することができ、当業者予測不可能な顕著な効果を奏することができた。
○第４の考案の効果
第４の考案によれば、
シート本体１とシート摘み部３は、一体成型により一体接合されていることという特徴的な構成要件により、本考案が解決しようとする第１課題〜第５課題を達成することができ、当業者予測不可能な顕著な効果を奏することができた。
○第５の考案の効果
第５の考案によれば、
シート本体１とカード引掛け材２とシート摘み部３は、一体成型により一体接合されていることという特徴的な構成要件により、本考案が解決しようとする第１課題〜第５課題を達成することができ、当業者予測不可能な顕著な効果を奏することができた。
【考案を実施するための最良の形態】
【０００８】
以下、本考案に係る、カード引出補助シートに関する最良の実施形態について、図面を参照しながら説明する。
図１は、本願発明に係る、カード引出補助シートの斜視図である。
図１の（ａ）図は、本願発明に係る、カード引出補助シートの平面図である。図１の（ｂ）図は、本願発明に係る、カード引出補助シートの正面図である。
図３は、本願発明に係る、カード引出補助シートの使用態様を示す図である。
図４の（ａ）図は、本願発明に係る、カード引出補助シートのカード引掛け材２が、断面が矩形形状シート状である実施態様を示す図である。
図４の（ｂ）図は、本願発明に係る、カード引出補助シートのカード引掛け材２が、断面が丸形状シート状である実施態様を示す図である。
以下、本考案に係る、カード引出補助シートについて、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のカード引出補助シート１００において、シート本体１とカード引掛け材２とシート摘み部３からなるカード引出補助シート１００において、シート本体１は、略カード等と同じ大きさの矩形形状であり、カード引掛け材２は、シート本体１の片方の端辺Ａ近傍に突起物として一体接合してなり、シート摘み部３は、親指と人差し指で摘める大きさであり、かつ、シート本体１のもう片方の端辺Ｂ近傍においてシート本体１と一体接合してなることを特徴とするカード引出補助シート１００が開示されている。
○第１の考案の効果
第１の考案によれば、シート本体１とカード引掛け材２とシート摘み部３からなるカード引出補助シート１００において、シート本体１は、略カード等と同じ大きさの矩形形状であり、カード引掛け材２は、シート本体１の片方の端辺Ａ近傍に突起物として一体接合してなり、シート摘み部３は、親指と人差し指で摘める大きさであり、かつ、シート本体１のもう片方の端辺Ｂ近傍においてシート本体１と一体接合してなることという特徴的な構成要件により、本考案が解決しようとする第１課題〜第５課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のカード引出補助シート１００において、カード引掛け材２は、矩形形状シート状、又は、丸形状シート状であり、かつ、シート本体１の片方の端辺Ａ近傍に一体接合してなることを特徴とする請求項１に記載されたカード引出補助シート１００が開示されている。
○第２の考案の効果  第２の考案によれば、カード引掛け材２は、矩形形状シート状、又は、丸形状シート状であり、かつ、シート本体１の片方の端辺Ａ近傍に一体接合してなることという特徴的な構成要件により、本考案が解決しようとする第１課題〜第５課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のカード引出補助シート１００において、カード引掛け材２は、複数個シート本体１の片方の端辺Ａ近傍に一体接合してなることを特徴とする請求項１〜２の何れかに記載されたカード引出補助シート１００が開示されている。
カード引掛け材２は、複数個シート本体１の片方の端辺Ａ近傍に一体接合してなるカード引出補助シート１００は、図１に開示されているが、本体シート１の片方の端辺Ａに沿って、複数個並べて、一体接合してなるカード引出補助シート１００が開示されている。
○第３の考案の効果
第３の考案によれば、カード引掛け材２は、複数個シート本体１の片方の端辺Ａ近傍に一体接合してなることという特徴的な構成要件により、本考案が解決しようとする第１課題〜第５課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のカード引出補助シート１００において、シート本体１とシート摘み部３は、一体成型により一体接合されていることを特徴とする請求項１〜３の何れかに記載されたカード引出補助シート１００が開示されている。
○第４の考案の効果
第４の考案によれば、シート本体１とシート摘み部３は、一体成型により一体接合されていることという特徴的な構成要件により、本考案が解決しようとする第１課題〜第５課題を達成することができ、当業者予測不可能な顕著な効果を奏することができた。
５５５５５カード引出補助シート１００＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のカード引出補助シート１００において、シート本体１とカード引掛け材２とシート摘み部３は、一体成型により一体接合されていることを特徴とする請求項１〜４の何れかに記載されたカード引出補助シート１００が開示されている。
○第５の考案の効果
第５の考案によれば、シート本体１とカード引掛け材２とシート摘み部３は、一体成型により一体接合されていることという特徴的な構成要件により、本考案が解決しようとする第１課題〜第５課題を達成することができ、当業者予測不可能な顕著な効果を奏することができた。
【図面の簡単な説明】
【０００９】
【図１】図１は、本願発明に係る、カード引出補助シートの斜視図である。
【図２】図１の（ａ）図は、本願発明に係る、カード引出補助シートの平面図である。図１の（ｂ）図は、本願発明に係る、カード引出補助シートの正面図である。
【図３】図３は、本願発明に係る、カード引出補助シートの使用態様を示す図である。
【図４】図４の（ａ）図は、本願発明に係る、カード引出補助シートのカード引掛け材が、断面が矩形形状シート状である実施態様を示す図である。図４の（ｂ）図は、本願発明に係る、カード引出補助シートのカード引掛け材が、断面が丸形状シート状である実施態様を示す図である。
【符号の説明】
【００１０】
１００……カード引掛け材
１……シート本体
２……カード引掛け材
３……シート摘み部
Ａ……シート本体の片方の端辺
Ｂ……シート本体のもう片方の端辺
【図１】
0003199429.tif 000003
【図２】
0003199429.tif 000004
【図３】
0003199429.tif 000005
【図４】
0003199429.tif 000006